【事件の表示】
　特願２０１４−５２５９３０「無線通信システムでマルチメディア放送サービスを受信する方法及び装置」拒絶査定不服審判事件〔平成２５年　２月２１日国際公開、ＷＯ２０１３／０２５０３８、平成２６年　９月２２日国内公表、特表２０１４−５２４７０４〕について、次のとおり審決する。
【結　論】
　本件審判の請求は、成り立たない。
【理　由】
第１　手続の経緯
　本願は、２０１２年８月１４日（優先権主張外国庁受理　２０１１年８月１６日　米国）を国際出願日とする出願であって、その手続の経緯は以下のとおりである。
平成２８年　５月　６日付け　拒絶理由の通知
平成２８年　８月１６日　　　意見書及び手続補正書の提出
平成２８年　９月　６日付け　拒絶理由の通知
平成２８年１２月２７日　　　意見書及び手続補正書の提出
平成２９年　１月２４日付け　拒絶理由（最後）の通知
平成２９年　５月　８日　　　意見書及び手続補正書の提出
平成２９年　６月　９日付け　補正の却下の決定及び拒絶査定
平成２９年１０月１９日　　　拒絶査定不服審判の請求及び手続補正書の提出
第２　平成２９年１０月１９日にされた手続補正についての補正の却下の決定
［補正の却下の決定の結論］
　平成２９年１０月１９日にされた手続補正（以下、「本件補正」という。）を却下する。
［理由］
１　本件補正について（補正の内容）
（１）本件補正後の特許請求の範囲の記載
　本件補正により、特許請求の範囲の請求項１の記載は、次のとおり補正された。（下線部は、補正箇所である。）
　「無線通信システムでの端末によるマルチメディア放送サービス（Ｍｕｌｔｉｍｅｄｉａ　Ｂｒｏａｄｃａｓｔ／Ｍｕｌｔｉｃａｓｔ　Ｓｅｒｖｉｃｅ、以下、ＭＢＭＳ）受信方法であって、
　受信しようとするＭＢＭＳセッションが特定周波数で提供されるのか否かに基づい
て、セ
であって、前記端末が、前記特定周波数にキャンプオンする間、前記ＭＢＭＳを受信できなければ、前記特定周波数は前記セル再選択候補として考慮されない、決定する段
　前記特定周波数でキャンプオン（ｃａｍｐ　ｏｎ）する段階と、
　前記特定周波数を通じて、前記ＭＢＭＳセッションの開始時間情報に基づいて前記ＭＢＭＳセッションを受信する段階とを含むことを特徴とする受信方法。」
　
（２）本件補正前の特許請求の範囲
　本件補正前の、平成２８年１２月２７日にされた手続補正により補正された特許請求の範囲の請求項１の記載は次のとおりである。
　「無線通信システムでの端末によるマルチメディア放送サービス（Ｍｕｌｔｉｍｅｄｉａ　Ｂｒｏａｄｃａｓｔ／Ｍｕｌｔｉｃａｓｔ　Ｓｅｒｖｉｃｅ、以下、ＭＢＭＳ）受信方法であって、
　受信しようとするＭＢＭＳセッションが特定周波数で提供されるのか否かに基づいて、前記特定周波数をセル再選択候補として決定する段階と、
　前記特定周波数でキャンプオン（ｃａｍｐ　ｏｎ）する段階と、
　前記特定周波数を通じて、前記ＭＢＭＳセッションの開始時間情報に基づいて前記ＭＢＭＳセッションを受信する段階とを含むことを特徴とする受信方法。」
２　補正の適否
（１）補正の目的について
　本件補正は、本件補正前の請求項１に記載された発明を特定するために必要な事項である「前記特定周波数をセル再選択候補として決定する段階」を「セル再選択候補を決定する段階であって、前記端末が、前記特定周波数にキャンプオンする間、前記ＭＢＭＳを受信できなければ、前記特定周波数は前記セル再選択候補として考慮されない、決定する段階」に補正するものである。
　請求人は審判請求書の「２．補正の根拠の明示」にて、上記補正の根拠は「出願当初の明細書の段落［００３５］−［００３６］の記載内容」であるとしている。
ここで、本件当初明細書等には以下の記載がある。
　「【００３５】
　端末４０１は、４１６段階で、受信したＵＳＤ情報内に含まれた特定セッション（本実施形態ではセッション‘Ａ’）に対する時間情報に基づいて、その特定セッションが開始されるか否かを判定し、受信しようとするセッションが開始されたと判定する場合、ＭＢＭＳサービスを受信する。このとき、端末４０１は受信しようとするセッションがサービスされる基地局でセル再選択ができる。
【００３６】
　即ち、本発明の実施形態によれば、端末４０１はＵＳＤ情報に含まれた時間情報に基づいて午後３時となる時、セッション‘Ａ’が開始されたと判定し、ＭＢＭＳサービス受信を開始することができる。このとき、ＭＢＭＳセッションが受信されない場合、端末４０１はＭＢＭＳセッションの時間情報に基づいて前記ＭＢＭＳセッションが進行中なのか否かを判定し、ＭＢＭＳセッションが進行中なのか否かを判定し、ＭＢＭＳセッションが進行中の場合、ＭＢＭＳセッションの周波数情報に基づいてＭＢＭＳセッションを提供する基地局をセル再選択対象の基地局として選択し、ＭＢＭＳセッションをサービスする基地局からＭＢＭＳセッションを受信することができる。」
　「【００４４】
　ＭＣＣＨのＭＢＳＦＮＡｒｅａＣｏｎｆｉｇｕｒａｔｉｏｎ　ＩＥにはＭＢＳＦＮ領域でＭＢＳＦＮデータ送信のために利用されるサブフレーム位置を指示するインジケーターが含まれ、現在サービスをしているセッションに対する情報を通知する。端末４０１はこのような情報を利用し、特定ＭＢＳＦＮサブフレームを受信することができる。また、端末４０１は望むセッション‘Ａ’が受信されない場合、直ぐセル再選択を実行するのではなく、４１３段階を通じて
受信したＵＳＤ情報に基づいてセッションが進行中の場合（開始時間以後であり、終了時間以前の場合）、ＵＳＤ情報内の周波数情報を使用してセル再選択を実行する
　前記摘記事項（特に【００３６】）によれば、ＭＢＭＳセッションが受信されない場合であっても「受信したＵＳＤ情報に基づいてセッションが進行中の場合（開始時間以後であり、終了時間以前の場合）、ＵＳＤ情報内の周波数情報を使用してセル再選択を実行する」ものであり、ＵＳＤ情報に含まれた周波数や現在キャンプオンしている周波数などの、何らかの周波数が「セル再選択候補として考慮されない」ことは、記載も示唆もされていない。また、前記摘記事項以外に、当初明細書等には、何らかの周波数が「セル再選択候補として考慮されない」ことを導く事項は存在しない。
　以上のことから、上記補正における「セル再選択候補を決定する段階であって、前記端末が、前記特定周波数にキャンプオンする間、前記ＭＢＭＳを受信できなければ、前記特定周波数は前記セル再選択候補として考慮されない、決定する段階」との点は、当初明細書等のすべての記載を総合することにより導かれる技術的事項との関係において、新たな技術的事項を導入するものであるから、本件補正は、当初明細書等に記載された事項の範囲内においてするものとはいえず、特許法第１７条の２第３項に規定する要件を満たしていない。
　したがって、本件補正は、特許法第１７条の２第３項の規定に違反するものである。
３　まとめ
　以上のことから、本件補正は、特許法第１７条の２第３項の規定に違反するものであるから、特許法第１５９条第１項において読み替えて準用する特許法第５３条第１項の規定により却下すべきものである。
　よって、上記補正の却下の決定の結論のとおり決定する。
第３　本願発明について
１　本願発明
　平成２９年１０月１９日にされた手続補正は、上記のとおり却下されたので、本願の請求項に係る発明は、平成２８年１２月２７日にされた手続補正により補正された特許請求の範囲の請求項１ないし８に記載された事項により特定されるものであるところ、その請求項１を引用する請求項２に係る発明（以下「本願発明」という。）は、請求項１及び請求項２に記載された事項により特定される、以下のとおりのものと認める。
　「無線通信システムでの端末によるマルチメディア放送サービス（Ｍｕｌｔｉｍｅｄｉａ　Ｂｒｏａｄｃａｓｔ／Ｍｕｌｔｉｃａｓｔ　Ｓｅｒｖｉｃｅ、以下、ＭＢＭＳ）受信方法であって、
　受信しようとするＭＢＭＳセッションが特定周波数で提供されるのか否かに基づいて、前記特定周波数をセル再選択候補として決定する段階と、
　前記特定周波数でキャンプオン（ｃａｍｐ　ｏｎ）する段階と、
　前記特定周波数を通じて、前記ＭＢＭＳセッションの開始時間情報に基づいて前記ＭＢＭＳセッションを受信する段階とを含み、
　前記特定周波数の情報は、ユーザサービス記述（Ｕｓｅｒ　Ｓｅｒｖｉｃｅ　Ｄｅｓｃｒｉｐｔｉｏｎ、以下、ＵＳＤ）情報で受信されることを特徴とする、受信方法。」
２　原査定の拒絶の理由
　原査定の拒絶の理由１は、「この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」というものであり、請求項２に係る発明に対して、以下の５，３，４の引用例が引用されている。
引用例３　Qualcomm Incorporated, Verizon Wireless，System time and leap seconds，3GPP TSG-CT WG1♯79 C1-122988，２０１２年７月３０日掲載，ＵＲＬ，http: //www.3gpp.org/ftp/tsg_ct/WG1_mm-cc-sm_ex-CN1/TSGC1_79_Chicago/docs/C1-122988.zip
引用例４　Qualcomm Incorporated，MBMS Assistance Information for idle and connected mode，3GPP TSG-RAN WG2 #77 R2-120285，２０１２年１月３１日掲載，ＵＲＬ，http://www.3gpp.org/ftp/tsg_ran/WG2_RL2/TSGR2_77/Docs/R2-120285.zip
引用例５　Qualcomm Incorporated, Verizon Wireless, Telefon AB LM Ericsson, ST-Ericsson SA, Alcatel-Lucent，USD Signaling of Frequency Information，3GPP TSG-SA WG4 #69 S4-120602，２０１２年５月１５日掲載，ＵＲＬ，http://www.3gpp.org/ftp/tsg_sa/WG4_CODEC/TSGS4_69/Docs/S4-120602.zip
３　優先権主張について
　本願発明の「前記特定周波数の情報は、ユーザサービス記述（Ｕｓｅｒ　Ｓｅｒｖｉｃｅ　Ｄｅｓｃｒｉｐｔｉｏｎ、以下、ＵＳＤ）情報で受信される」との事項は、優先権主張の基礎とされる米国特許出願６１／５２４０００（以下「優先基礎出願」という。）の書類には記載されていない。
　前記優先基礎出願の書類には、第７７ページに
「Session announcement
In our understanding the UE will typically start MBMS reception based on a session announcement that always includes a reasonably accurate session start time (expressed in seconds). As this affects the analysis of the idle and connected mode aspects (as in R2-114221 and R2-114222 respectively), we would like RAN2 to confirm this assumption. 」
（当審仮訳：
　「セッションアナウンスメント
我々の理解では、UE は典型的には常に妥当な正確なセッション開始時間（秒で表される）を含むセッションアナウンスメントに基づき、MBMS 受信を始めるであろう。これは、(R2-114221 及び R2-114222 のそれぞれのように)待機及び接続モードの観点に影響を及ぼすので、我々は RAN2 がこの仮定を確認することを希望する。」）
と記載されており、セッションアナウンスメントにセッションの開始時間が含まれることが記載されている。しかしながら、セッションアナウンスメントがユーザサービス記述（Ｕｓｅｒ　Ｓｅｒｖｉｃｅ　Ｄｅｓｃｒｉｐｔｉｏｎ）情報を意味することは記載されていない。また、セッションアナウンスメントがユーザサービス記述情報を意味することを示す証拠も発見しない。
　よって、本願発明には優先権主張の効果は認められない。
　したがって、本願発明について、新規性・進歩性の判断基準となる日は、国際出願日の２０１２年８月１４日であるとして、以下の判断を行う。
 
４　引用発明及び公知技術
（１）引用例５について
　原査定の拒絶の理由で引用されたQualcomm Incorporated, Verizon Wireless, Telefon AB LM Ericsson, ST-Ericsson SA, Alcatel-Lucent，USD Signaling of Frequency Information（当審仮訳：「周波数情報の USD シグナリング」），3GPP TSG-SA WG4 #69 S4-120602，２０１２年５月１５日掲載，ＵＲＬ，http://www.3gpp.org/ftp/tsg_sa/WG4_CODEC/TSGS4_69/Docs/S4-120602.zip（以下「引用例５」という。）には、以下の事項が記載されている。
ア「Reason for change: Previously, in R9 multi-band MBMS deployment, a UE that is interested in MBMS User Service(s) may be camped on a radio frequency which does not carry the service(s) of interest. Recently agreed in RAN2 as R9 correction (Tdoc R2-120841) is the ability for the UE to configure a frequency as the highest priority if the UE knows that that frequency carries the MBMS User Service(s) of interest. 
Inclusion of frequency information in the User Service Bundle Description metadata fragment would further enable the UE to obtain knowledge of the frequency on which the MBMS User Service(s) of interest are delivered. 
Therefore, 
by obtaining both the neighbor frequency information carried in SIB5 from the eNB, and User Service/frequency mapping information in the User Service Description, a R9 UE can properly camp on the MBMS frequency layer to receive the MBMS User Service(s) of interest
（当審仮訳：
　「変更理由：　以前は、R9 の複数帯域 MBMS の配備において、MBMS ユーザサービスに関心のある UE は、関心のあるサービスが実行されない無線周波数にキャンプオンしているかもしれなかった。RAN2 において最近合意された R9 の修正 (Tdoc R2-120841) は、関心のある MBMS ユーザサービスを搬送する周波数を UE が知っている場合、その UE のために最高優先度としてその周波数を構成することができる、というものである。
　User Service Bundle Description メタデータフラグメントに周波数情報を含むことは、UEが関心のある MBMS ユーザサービスが配信される周波数の知識を得ることをさらに可能にするだろう。
　それゆえ、
eNB から SIB5 に含まれ送信される近隣周波数情報と、User Service Description に含まれるユーザサービス／周波数マッピング情報とを得ることにより、R9 UE は関心のある MBMS ユーザサービスを受信するためにその MBMS 周波数層に適切にキャンプオンすることができる
イ　以上を総合すると、引用例１には、UE が MBMS 周波数で、関心のある MBMS ユーザサービスを受信する方法が記載されていると認められる。また、eNB から SIB5 に含まれ送信される近隣周波数情報と、User Service Description に含まれるユーザサービス／周波数マッピング情報を得ることにより UE は MBMS 周波数層にキャンプオンできるのであるから、UE はMBMS 周波数層を決定し、当該 MBMS 周波数層にキャンプオンすることは明らかである。
　よって、引用例５には、
「UE が関心のある MBMS ユーザサービスを受信する方法であって、
　User Service Description に含まれる、関心のある MBMS ユーザサービス／周波数マッピング情報と SIB5 に含まれ送信される近隣周波数情報とから、MBMS 周波数層を決定する段階と、
　前記 MBMS 層にキャンプオンする段階と、
　前記 MBMS 周波数層で、関心のある MBMS ユーザサービスを受信する段階とを含む受信方法。」
との発明（以下「引用発明」という。）が記載されていると認められる。
（２）引用例３について
　原査定の拒絶の理由で引用されたQualcomm Incorporated, Verizon Wireless，System time and leap seconds（当審仮訳：「システム時間と跳躍秒」），3GPP TSG-CT WG1♯79 C1-122988，２０１２年７月３０日掲載，ＵＲＬ，http: //www.3gpp.org/ftp/tsg_ct/WG1_mm-cc-sm_ex-CN1/TSGC1_79_Chicago/docs/C1-122988.zip（以下「引用例３」という。）には、以下の事項が記載されている。
ア「2.1. eMBMS and DASH Operation
（中略）
・
For eMBMS operation, the UE knows program start and end time through SDP via USD
（当審仮訳：
　「2.1. eMBMS と DASH オペレーション
（中略）
・
eMBMS オペレーションのために、UE は USD を介して SDP からプログラム開始及び終了時間を知る
イ　上記摘記事項より、引用例３には、「UE は eMBMS オペレーションのために、USD を介してプログラム開始時刻を知る。」ことは公知技術であると認められる。
（３）引用例４について
　原査定の拒絶の理由で引用されたQualcomm Incorporated，MBMS Assistance Information for idle and connected mode（当審仮訳：「アイドル及び連結モードのための MBMS 補助情報」），3GPP TSG-RAN WG2 #77 R2-120285，２０１２年１月３１日掲載，ＵＲＬ，http://www.3gpp.org/ftp/tsg_ran/WG2_RL2/TSGR2_77/Docs/R2-120285.zip
（以下「引用例４」という。）には、以下の事項が記載されている。
ア「1 Introduction 
In the RAN2 #76 meeting, the following agreement has been reached regarding assistance information for MBMS UEs: 
 ・ RAN2 agreed that a linkage between geographic location and set of carrier frequencies, each providing MBMS service(s), is needed, and such linkage is expected to be communicated to UE 
 ・ RAN2 agreed on the need for application layer to provide information about the carrier frequencies on which an MBMS service is provided as well as the Service Area IDs (SAIs) of the service 
 ・ RAN2 agreed on UE relying on the MBMS session start time provided in the user service description (USD) from application layer 
（中略）
2 Discussion
（中略）
・ 
Interested UEs in RRC_IDLE state will only prioritize frequency listed in USD in the relevant service area
normal cell reselection rule applies
（当審訳：
　「1 イントロダクション
RAN2 #76 会合において、MBMS UEs のための補助情報について以下の合意に至った。
 ・ RAN2 は地理的位置とキャリア周波数の集合との関連付けについて同意した。各提供されるMBMSサービスは、当該事項が必要とされ、そしてそのような関連付けは、UEと通信するために必要とされる。
 ・ RAN2 は、アプリケーション層が、サービスのサービスエリア ID(SAIs) と同様に、提供される MBMS サービス上のキャリア周波数についての情報を提供する必要があることに同意した。
（中略）
2 議論
（中略）
　
RRC_IDLE 状態にある関心のある UE は関連するサービスエリアの USD にリスト化された周波数を優先するのみであろう
通常のセル再選択ルールが適用される
イ　上記摘記事項によれば、引用例４には「MBMSサービス上のキャリア周波数及びセッション開始時間についての情報がUSD中でUEに提供される。」との公知技術が記載されていると認められる。そして、前記「（２）イ」で検討した事項も合わせて検討すると、当該公知技術は、周知技術であるといえる。
ウ　また、UE がサービスエリア外の場合は通常の再選択ルールが適用される旨の記載があることから、引用例４には明示はないものの、実質的に引用例４は、サービスエリア内では、「USD にリスト化された MBMS サービス上のキャリア周波数を優先して再選択が行われる」ものであることは明らかであり、当該事項は公知技術であると認められる。
５　対比
（１）　本願発明と引用発明とを対比すると、以下のとおりとなる。
ア　引用発明の「UE」は本願発明の「無線通信システムでの端末」に相当するから、本願発明と引用発明とでは、「無線通信システムでの端末によるマルチメディア放送サービス（Ｍｕｌｔｉｍｅｄｉａ　Ｂｒｏａｄｃａｓｔ／Ｍｕｌｔｉｃａｓｔ　Ｓｅｒｖｉｃｅ、以下、ＭＢＭＳ）受信方法」との点で一致する。
イ　引用発明は「周波数層」との用語が用いられているが、当該技術分野における周波数は幅を有するものであるから、引用発明の「周波数層」との用語は、本願発明の「周波数」と同じ意味で用いられるものである。
　次に、本願発明の「特定周波数」との用語に関し、本願の発明の詳細な説明、及び、本願に対応する国際出願ＰＣＴ／ＫＲ２０１２／００６４７０の明細書にはそれぞれ、以下の記載がある。
（ア）「本発明で端末６０１はサービング周波数ｆ１にあり、隣接周波数でｆ２、ｆ３、ｆ４があり、関心ＭＢＭＳセッションが
特定周波数ｆ２
　「In FIG. 6, it is assumed that the UE 601 operates on the serving frequency f1 with neighbor frequencies f2, f3, and f4 and the interested MBMS session is established on 
the frequency f2
（イ）「本発明で端末７０１はサービング周波数ｆ１にあり、隣接周波数でｆ２、ｆ３、ｆ４があり、関心ＭＢＭＳセッションが
特定周波数ｆ２
　「In FIG. 7, it is assumed that the UE 701 operates on the serving frequency f1 with neighbor frequencies f2, f3, and f4 and the interested MBMS session is established on
 the frequencies f2
（ウ）「本発明で端末７０３は、サービング周波数ｆ１にあり、隣接周波数でｆ２、ｆ３、ｆ４があり、関心ＭＢＭＳセッションが
特定周波数ｆ２
　「The UE 703 knows that the interested session is serviced on the frequency f2 and thus determines whether it is possible to receive the service additionally on 
the frequency f2
　前記国際出願の明細書の記載と本願の発明の詳細な説明の記載は、必ずしも逐語訳の関係ではないが、本願発明の「特定周波数」との用語は前記国際出願の明細書の記載の「the frequency」に対応するのは明らかである。これより、本願発明の「特定周波数」との用語は、その用語の意味する概念の中でも、特に、先行する「周波数」との記載を受けて、「その周波数」との意味で用いられているものを含むと認められる。
　これより、引用発明の「関心のある MBMS ユーザサービス／周波数マッピング情報」における「周波数」は、本願発明の「受信しようとするＭＢＭＳセッション」が提供される「特定周波数」（その周波数）に対応する。また、引用発明は「User Service Description に含まれる、関心のある MBMS ユーザサービス／周波数マッピング情報と SIB5 に含まれ送信される近隣周波数情報とから、MBMS 周波数層を決定」し、「前記 MBMS 層にキャンプオン」するものである。これは、UE がSIB5を受信した周波数及び前記近隣周波数情報から前記周波数マッピング情報中の MBMS 周波数を探し、再選択可能な MBMS 周波数層があれば当該 MBMS 周波数層にキャンプオンするものと解される。すなわち、引用発明には「特定周波数でキャンプオン（ｃａｍｐ　ｏｎ）する」ことが記載されている。
　してみれば、本願発明の「受信しようとするＭＢＭＳセッションが特定周波数で提供されるのか否かに基づいて、前記特定周波数をセル再選択候補として決定する段階」と、「前記特定周波数でキャンプオン（ｃａｍｐ　ｏｎ）する段階」と、引用発明の「User Service Description に含まれる、関心のある MBMS ユーザサービス／周波数マッピング情報と SIB5 に含まれ送信される近隣周波数情報とから、MBMS 周波数層を決定する段階」と、「前記 MBMS 層にキャンプオンする段階」とでは「受信しようとするＭＢＭＳセッションが提供される特定周波数でキャンプオン（ｃａｍｐ　ｏｎ）する段階」との点で一致する。
　また、引用発明の「User Service Description に含まれる、関心のある MBMS ユーザサービス／周波数マッピング情報」は、本願発明の「前記特定周波数の情報は、ユーザサービス記述（Ｕｓｅｒ　Ｓｅｒｖｉｃｅ　Ｄｅｓｃｒｉｐｔｉｏｎ、以下ＵＳＤ）情報」に相当する。
ウ　本願発明の「前記特定周波数を通じて、前記ＭＢＭＳセッションの開始時間情報に基づいて前記ＭＢＭＳセッションを受信する段階」と、引用発明の「MBMS 周波数層で、関心のある MBMS ユーザサービスを受信する段階」は、「前記特定周波数を通じて、前記ＭＢＭＳセッションを受信する段階」との点で共通する。
エ　してみれば、本願発明と引用発明とでは、
　「無線通信システムでの端末によるマルチメディア放送サービス（Ｍｕｌｔｉｍｅｄｉａ　Ｂｒｏａｄｃａｓｔ／Ｍｕｌｔｉｃａｓｔ　Ｓｅｒｖｉｃｅ、以下、ＭＢＭＳ）受信方法であって、
　受信しようとするＭＢＭＳセッションが提供される特定周波数でキャンプオン（ｃａｍｐ　ｏｎ）する段階と、
　前記特定周波数を通じて、前記ＭＢＭＳセッションを受信する段階とを含み、
　前記特定周波数の情報は、ユーザサービス記述（Ｕｓｅｒ　Ｓｅｒｖｉｃｅ　Ｄｅｓｃｒｉｐｔｉｏｎ、以下、ＵＳＤ）情報で受信されることを特徴とする、受信方法。」
との点で一致し、以下の点で相違する。
（相違点１）
　本願発明が「受信しようとするＭＢＭＳセッションが特定周波数で提供されるのか否かに基づいて、前記特定周波数をセル再選択候補として決定する段階」との発明特定事項を含むのに対して、引用発明は、当該発明特定事項が明らかにされていない点。
（相違点２）
　本願発明が、前記特定周波数を通じて、「前記ＭＢＭＳセッションの開始時間情報に基づいて」前記ＭＢＭＳセッションを受信する段階を含むのに対し、引用発明では「前記ＭＢＭＳセッションの開始時間情報に基づいて」前記ＭＢＭＳセッションを受信するものである点について、特定のない点。
６　判断
　前記相違点について検討する。
（相違点１）
　本願発明の「
受信しようとするＭＢＭＳセッションが特定周波数で提供されるのか否かに基づいて
　そして、一般に、ＵＥはセル再選択が可能な（一以上の）周波数（セル）から、再選択する周波数を選択し、キャンプオンするところ、前記「４（３）ウ」より、「USD にリスト化された MBMS サービス上のキャリア周波数を優先して再選択が行われる」ことは公知技術である。これより、UE が、（USDにリスト化された） MBMS サービス上のキャリア周波数を特定し、前記特定された周波数をセル再選択候補として決定することも、前記公知技術から明らかである
　してみれば、引用発明におけるキャンプオンするMBMS周波数層の選択において、前記公知技術を採用し、「受信しようとするＭＢＭＳセッションが提供される周波数を特定し、前記特定周波数をセル再選択候補として決定する段階」を含むものとすること、すなわち、本願発明の「受信しようとするＭＢＭＳセッションが特定周波数で提供されるのか否かに基づいて、前記特定周波数をセル再選択候補として決定する段階」を含むものとすることは、当業者が容易に想到することができたものである。
（相違点２）
　前記「４（２）イ」及び「４（３）イ」のとおりであるから、「特定周波数を通じてＭＢＭＳセッションの開始時間情報に基づいて前記ＭＢＭＳセッションを受信する。」ことは周知事項に過ぎない。よって、引用発明の「前記 MBMS 周波数層で、関心のある MBMS ユーザサービスを受信する段階」を「前記特定周波数を通じて、前記ＭＢＭＳセッションの開始時間情報に基づいて前記ＭＢＭＳセッションを受信する段階」とすることは、当業者が容易に想到することができた事項である。
　そして、これらの相違点を総合的に勘案しても、本件補正発明の奏する作用効果は、引用発明及び引用例３，４に記載された技術の奏する作用効果から予測される範囲内のものにすぎず、格別顕著なものということはできない。
　したがって、本件補正発明は、引用発明、及び、引用例３，４に記載された技術に基づいて、当業者が容易に発明をすることができたものである。
第５　むすび
　以上のとおり、本願発明は、特許法第２９条第２項の規定により特許を受けることができないから、他の請求項に係る発明について検討するまでもなく、本願は拒絶されるべきものである。
　よって、結論のとおり審決する。